(57)【要約】      （修正有）【課題】衛生保護具として使用されるタイプの、飲料缶のための保護スリーブを提供する。【解決手段】飲料缶のための保護スリーブであって、個別の容器に対して個別に適用可能であり、缶４のプルリングにアクセスするための水平引き裂き手段と、予備打ち抜きされた縦長ストリップ９の形態の垂直引き裂き手段と、を含んだ保護スリーブにおいて、保護スリーブは、成形されたベース２が設けられ且つその反対側端部に上部本体３が設けられた管状本体１を具備し、上部本体は缶４の形状に類似した形状を備えた、防水の印刷された材料から形成されていることを特徴とする。【選択図】図３
0003194474.tif 000002
【実用新案登録請求の範囲】
【請求項１】
衛生的な保護として使用されるタイプの、飲料缶のための保護スリーブであって、個別の容器に対して個別に適用可能であり、缶（４）のプルリングにアクセスするための水平引き裂き手段（８）と、予備打ち抜きされた縦長ストリップ（９）の形態の垂直引き裂き手段と、を含んだ保護スリーブにおいて、
該保護スリーブは、成形されたベース（２）が設けられ且つその反対側端部に上部本体（３）が設けられた管状本体（１）を具備し、前記上部本体は前記缶（４）の形状に類似した形状を備えた、防水の印刷された材料から形成されていることを特徴とする保護スリーブ。
【請求項２】
前記上部本体（３）は蓋（５）を利用して閉じられ、該蓋は、レーザまたは微細孔形成によって全周に渡って形成された水平ミシン目（７）によって、前記管状本体（１）の円筒部と境界を区切られ、且つ該円筒部から離間されていることを特徴とする請求項１に記載の保護スリーブ。
【請求項３】
前記管状本体（１）は、レーザまたは微細孔形成を利用して形成された縦ミシン目（６）を随意的に組み入れていることを特徴とする請求項１または２に記載の保護スリーブ。
【請求項４】
前記蓋（５）は一側におよび随意的に両側に印刷されていることを特徴とする請求項１〜３のいずれか一項に記載の保護スリーブ。
【請求項５】
点字によって、ブランドおよび生産者情報または任意のタイプの情報を随意的に含んでいることを特徴とする請求項１〜４のいずれか一項に記載の保護スリーブ。
【考案の詳細な説明】
【技術分野】
【０００１】
その表題が示しているように、本記載は衛生的な保護として使用されるタイプの、飲料缶のための保護スリーブであって、この保護スリーブは、個別の容器に対して個別に取り付け可能であり、缶のプルリングにアクセスするための水平引き裂き手段と、予備打ち抜きされた縦長ストリップの形態の垂直引き裂き手段と、を含んでおり、この保護スリーブは、成形されたベースが設けられ且つその反対側端部に上部本体が設けられた管状本体を具備し、上部本体は缶の形状に類似した形状を備えた、強固な防水の印刷された材料から形成され、随意的に点字による情報を含んでいることを特徴とする保護スリーブを参照している。
【背景技術】
【０００２】
周知のように、飲料缶は広く使用されているタイプの容器であり、その主な利点はそれらが容易に使用され、その内容物の適切且つ便利な消費のためにグラスまたは他の容器を用いる必要が無いことである。しかしながら、このタイプの容器は非常に長期間の輸送、取扱いおよび／または貯蔵の過程において大きな欠点を有している。缶は、単なる埃から、共通に缶にこぼれるもしくは堆積する任意のタイプの物質、流通網において制御不能に群れる異なった動物（ネズミ、ゴキブリ、蟻、ハエ）の糞や尿までのすべての種類の汚れを容易に受け取る。
【０００３】
ある場合において、この問題はある会社で使用されているような缶の「パック」またはグループを包装することによって部分的に解消される。しかしながら、これらの包装は缶全体を包装するものではないため、それらが部分的に開放されており、それらが任意のタイプの保証シールを含まず、包装が開放された缶にもしくは少数の缶に分割された場合も、包装は破壊若しくは排除され、缶は病原体を含んだ非衛生的な要素に再度取り残され、我々が直接その缶から飲む場合、それらの要素は我々の口に到達するかもしれない。
【０００４】
これに加えて、情報的および／または広告的性質を金属面上に印刷することは、製造において高コストとなるといった追加的な欠点が存在する。
【０００５】
最後に、別の欠点は、視覚的障害を持った人が読むことが可能な点字によるメッセージおよび／または情報が缶に直接含まれる場合に生じ得る追加のコストである。
【０００６】
したがって、ユーザによって消費されるときまで、各缶の上面の衛生状態を保障する別のタイプの保護要素を提供することが望まれており、その他の解決策は特許文献１が提供する“Protective cover for beverage cans”に見出される。この発明は容器または缶の中間のところまで保護を提供したカバーを具備し、また、プルリングが配置された上部も保護しているが、印刷のための領域が非常に制限され、容器のカバーの半分のみであるといった欠点も存在している。
【０００７】
別の解決策は、特許文献２“Protective sleeve and advertising medium for cans of drink”に見出され、この発明は缶全体を覆い、蓋とともに上部が閉じられたスリーブを具備し、缶のプルリングが配置された領域へのアクセスを提供するための既知の引き裂き手段が加えられているが、スリーブの上部における引き裂きシステムが設けられていないといった欠点も存在している。
【先行技術文献】
【特許文献】
【０００８】
【特許文献１】国際公開第２００９／１０１２２０号パンフレット
【特許文献２】国際公開第２０１０／０３４８６５号パンフレット
【考案の概要】
【考案が解決しようとする課題】
【０００９】
現時点において存在する問題を解決するために、および可能な限りこのタイプのアプリケーションを改良するために、飲料缶のための保護スリーブが想定され、この保護スリーブは成形されたベース、およびその反対側端部の上部本体を具備していることを特徴としている。
【課題を解決するための手段】
【００１０】
管状本体は原則的に適切に防水の且つ十分な強度の材料から形成された本体を具備し、缶の形状に類似した管状の形状を備え、缶に密接に適合する。
【００１１】
本発明の別の特徴は、管状本体がレーザまたは微細孔形成を利用して形成された縦ミシン目を随意的に組み入れていることであり、この縦ミシン目は保護スリーブの引きはがしを可能にしている。
【００１２】
保護スリーブの印刷は、金属缶上への直接印刷よりも非常に経済的であり、視力障害者のための情報内容が点字によって提供され得るといった利点も提供し、このことは金属容器に直接実行するためには非常に高価なものとなる。
【００１３】
保護スリーブは熱成形技術を利用して缶に取り付けられ、缶の円筒部が覆われ、底部において缶の着座突起と一致されて、成形されたベースを形成し、熱成形によって生じた熱の結果として変形された管状本体の材料の余剰分によって部分的に覆われた上部を残し、缶のためのプルリングが配置された上部が完全に覆われないまま残される。
【００１４】
上部を仕上げるために、保護の完全な保証および不正開封防止機能を提供するためのシールを容器に設け、蓋は容器が完全な閉鎖を維持する自動接合処理を利用して組み入れられる。商標の企業ロゴマークまたは生産者が所望する他のタイプの印刷は、この蓋に印刷され得る。
【００１５】
本発明の別の特徴は、蓋が商標の企業ロゴマークまたはプロモーション、イベント、賞品、広告等の他のタイプの印刷とともに、両側に印刷されることが可能なことである。
【００１６】
上部管状本体は蓋を利用して閉じられ、この蓋はレーザまたは微細孔形成によって形成された、全周に渡って上部近傍に位置した水平ミシン目によって管状本体の円筒部と境界を区切られ且つその円筒部から離間されており、水平ミシン目は上部本体の右または左への単純な回転によって保護スリーブを引きはがし、缶のプルリングが配置された領域へのアクセスを提供することを可能にしている。
【００１７】
飲料缶のための保護スリーブに組み入れられた引き裂き要素は、缶が消費された場合に、スリーブ全体が、スリーブが含んでいる引き裂き要素を利用して容器から容易に除去可能であることを考慮すると、製品が全体的に再生利用可能であることを確実にしている。金属容器とスリーブのプラスチック材料とは、別個に廃棄され得る。
【００１８】
ここに記載された飲料缶のための保護スリーブは、印刷された強固な防水材料とともに飲料缶の全表面を衛生的に保護するといった主な利点を提供しており、その材料は随意的に点字で印刷され、缶と類似した形状を備え、成形されたベースとその反対側端部の上部本体とが設けられている。
【００１９】
別の利点は、スリーブが管状本体にレーザまたは微細孔形成によって形成されたミシン目を随意的に組み入れることが可能なことであり、縦長に設けられたミシン目は保護スリーブの引きはがしを容易にしている。
【００２０】
追加の重要な利点は、スリーブの上部本体が、全周に渡ってレーザまたは微細孔形成によって形成されたミシン目を利用して、管状本体の円筒部と境界を区切られ且つ円筒部から離間されており、このミシン目は、上部本体の右または左への単純な回転を通じて保護スリーブを引きはがし、容器のプルリングへの直接のアクセスを提供することを可能にしていることである。
【００２１】
別の重要な利点は、上部本体が蓋を利用して閉じられ、この蓋は付随したロゴの特別な色で、随意的に両側に印刷されており、プロモーション、賞品等のために設けられた有用な空間を最大限に使用することである。
【００２２】
重要な利点は、保護スリーブの印刷は金属容器上への直接印刷よりも大幅に経済的であり、非常に多くの色が使用可能であり、可能なデザイン変更のために、より多くの機会を提供するコミュニケーション面をより多く使用し得ることである。
【００２３】
追加の利点は、視覚障害者のための情報内容がスリーブ上に随意的に点字によって印刷され得ることである。
【００２４】
別の重要な利点は、底部が成形されたベースを形成した缶の突起に適合することである。
【００２５】
本発明の好適な実施形態は添付図に図示され、その主題のより良好な理解に寄与する。
【図面の簡単な説明】
【００２６】
【図１】缶のプルリングにアクセスするための水平引き裂き手段と、予備打ち抜きされた縦長ストリップの形態の垂直引き裂き手段と、を含んだ、本発明による飲料缶全体を覆った保護スリーブを示した正面図である。
【図２】レーザまたは微細孔形成によって形成されたミシン目を、１つは水平方向において、１つは垂直方向において含んだ、本発明による飲料缶全体を覆った保護スリーブを示した正面図である。
【図３】完全に衛生的に安全な態様において、ユーザによって使用される準備ができた、本発明による保護スリーブを示した斜視図である。
【考案を実施するための形態】
【００２７】
ここに記載された飲料缶のための保護スリーブは、成形されたベース（２）が設けられ且つその反対側端部において上部本体（３）が設けられた管状本体（１）を具備し、スリーブは防水であり、強固で、印刷されており、缶（４）の形状と類似した形状を備えていることを特徴としている。
【００２８】
本発明の別の特徴は、飲料缶のための保護スリーブが点字による情報を組み入れることが可能なことである。
【００２９】
本発明の別の特徴は、管状本体（１）がレーザまたは微細孔形成を利用して形成された縦ミシン目（６）を随意的に組み入れることであり、このミシン目は回転によって裂けることを容易にしている。
【００３０】
上部本体（３）は、レーザまたは微細孔形成を利用してその周囲に設けられた水平ミシン目（７）を利用して管状本体（１）の円筒部と境界を区切られ且つその円筒部から離間された蓋（５）を利用して閉じられており、このミシン目は回転を通じて裂けることを容易にしている。
【００３１】
蓋（５）は一側に、または随意的に両側に印刷されている。
【符号の説明】
【００３２】
１  ・・・管状本体
２  ・・・ベース
３  ・・・上部本体
６  ・・・縦ミシン目
７  ・・・水平ミシン目
８  ・・・水平引き裂き手段
９  ・・・縦長ストリップ
【図１】
0003194474.tif 000003
【図２】
0003194474.tif 000004
【図３】
0003194474.tif 000005
【手続補正書】
【提出日】平成26年7月4日(2014.7.4)
【手続補正１】
【補正対象書類名】実用新案登録請求の範囲
【補正対象項目名】全文
【補正方法】変更
【補正の内容】
【実用新案登録請求の範囲】
【請求項１】
飲料缶のための保護スリーブであって、該保護スリーブは、
−  印刷に適した、強固な防水材料から形成され、前記缶全体に適合された管状本体と、
−  該管状本体の上部を閉鎖する蓋と、
−  前記缶のプルリングが配置された領域へのアクセスを提供するための、前記スリーブの上部近傍の水平引き裂き手段と、
を具備していることを特徴とする飲料缶のための保護スリーブ。
【請求項２】
前記保護スリーブは、熱成形材料から形成されていることを特徴とする請求項１に記載の飲料缶のための保護スリーブ。
【請求項３】
前記蓋は両側に印刷可能であることを特徴とする請求項１または２に記載の飲料缶のための保護スリーブ。
【請求項４】
前記蓋は自動接合処理を利用して組み入れられていることを特徴とする請求項１〜３のいずれか一項に記載の飲料缶のための保護スリーブ。
【請求項５】
前記保護スリーブは、追加的に縦引き裂き手段を含んでいることを特徴とする請求項１〜４のいずれか一項に記載の飲料缶のための保護スリーブ。
【請求項６】
前記引き裂き手段はレーザを利用して形成されていることを特徴とする請求項１〜５のいずれか一項に記載の飲料缶のための保護スリーブ。
【請求項７】
前記引き裂き手段は微細孔形成を利用して形成されていることを特徴とする請求項１〜５のいずれか一項に記載の飲料缶のための保護スリーブ。